(57)【要約】      （修正有）【課題】小物類や多種多様な形状をした被展示物を効果的に展示できると共に、被展示物を確実に固定した状態で展示することができるディスプレイ部材構造を提供する。【解決手段】被展示物１５，１８，１９，２９（２７，２８）を展示するためのディスプレイ部材構造１０である。フレーム部材１１と、フレーム部材１１の内方全域に設けられた一方の面ファスナー部１２と、被展示物１８，１９の裏面側２３，２４、並びに被展示部２９（２７，２８）の包装（箱材２０）又はタグ１５の裏面側１６，３０に設けられ一方の面ファスナー部１２に係合しうる他方の面ファスナー部１７，２５，２６，３１，３２とにより構成される。【選択図】図３
0003185834.tif 000002
【実用新案登録請求の範囲】
【請求項１】
被展示物を展示するためのディスプレイ部材構造であって、フレーム部材と、上記フレーム部材の内方全域に設けられた一方の面ファスナー部と、上記被展示物の裏面側、並びに被展示物の包装又はタグの裏面側に設けられ上記一方の面ファスナー部に係合しうる他方の面ファスナー部とにより構成されることを特徴とするディスプレイ部材構造。
【請求項２】
上記フレーム部材は額縁であることを特徴とする請求項１記載のディスプレイ部材構造。
【請求項３】
被展示物は、アクセサリー用品であることを特徴とする請求項１記載のディスプレイ部材構造。
【請求項４】
被展示物は、広告用シートであることを特徴とする請求項１記載のディスプレイ部材構造。
【考案の詳細な説明】
【技術分野】
【０００１】
本考案は、被展示物を展示するためのディスプレイ部材構造であって、特に小物類の展示に適したディスプレイ部材構造に関する。
【背景技術】
【０００２】
一般に、店舗等の売り場には、販売促進効果を高めるために、装飾を施したいわゆるＰＯＰ等のディスプレイ装置が設置される場合が多い。
【０００３】
しかしながら、このようなＰＯＰとしてのディスプレイ装置は、一般的には、大小を問わず、被展示物を載置する板材が設けられ、その板材上に被展示物を平面的に並べるように構成されている場合が多く、例えば、様々な形状のアクセサリー用品等の小物類については効果的なディスプレイをしにくいという不具合がある。
【０００４】
そのため、小物類や多種多様な形状をした被展示物が展示し易いディスプレイ部材が要請されている。
【０００５】
ところで、写真等を飾る作業を容易に行うことができるバックシートとして、例えば、特許文献１には、写真等の裏面にパンチ穴を設けたシートを重ね、上記パンチ穴個所で接着テープを貼付して固定することで、写真等の位置ずれを防止することができると共に、接着テープを剥離することで、写真等とバックシートを損傷させることなく容易に離すことができるパンチ穴付きバックシートが開示されている。
【０００６】
しかしながら、特許文献１に開示された技術は、被展示物の展示作業において、上記接着テープの貼付及び剥離作業を繰り返し行う必要があるため、作業が面倒であると共に、コストが嵩むという不具合があった。さらに、被展示物の形状によっては、上記接着テープと被展示物との間に距離が形成されるため、被展示物を確実に固定した状態で展示することができないという不具合があった。
【特許文献１】実用新案登録第３１２６１７８号公報
【考案の開示】
【考案が解決しようとする課題】
【０００７】
本考案は、このような従来からの不具合を解決するためのものであり、小物類や多種多様な形状をした被展示物を効果的に展示できると共に、被展示物を確実に固定した状態で展示することができるディスプレイ部材構造を提供することにある。
【課題を解決するための手段】
【０００８】
上記課題達成のため、請求項１記載の考案にあっては、被展示物を展示するためのディスプレイ部材構造であって、フレーム部材と、上記フレーム部材の内方全域に設けられた一方の面ファスナー部と、上記被展示物の裏面側、並びに被展示部の包装又はタグの裏面側に設けられ上記一方の面ファスナー部に係合しうる他方の面ファスナー部とにより構成されることを特徴とする。
【０００９】
したがって、請求項１記載の考案にあっては、上記被展示物は、上記被展示物の裏面側、並びに被展示物の包装又はタグの裏面側に設けられた上記他方の面ファスナー部により、上記フレーム部材の内方全域に設けられた一方の面ファスナー部に係合固定される。
【００１０】
請求項２記載の考案にあっては、上記フレーム部材は額縁であることを特徴とする。
【００１１】
請求項３記載の考案にあっては、被展示物は、アクセサリー用品であることを特徴とする。
【００１２】
請求項４記載の考案にあっては、被展示物は、広告用シートであることを特徴とする。
【００１３】
したがって、請求項２から４記載の考案にあっては、上記ディスプレイ部材構造を構成する上記フレーム部材は額縁であると共に、上記被展示物はアクセサリー用品または広告用シートであることから、一つの額縁内において、上記アクセサリー用品と、上記アクセサリー用品に関連する上記広告用シートを隣接させて展示することができる。
【考案の効果】
【００１４】
請求項１記載の考案にあっては、上記被展示物は、上記被展示物の裏面側、並びに被展示物の包装又はタグの裏面側に設けられた上記他方の面ファスナー部により、上記フレーム部材の内方全域に設けられた一方の面ファスナー部に係合固定される。
したがって、上記被展示物として、タグの付いた小物類や、広告用シートそのものをディスプレイする場合であっても、上記被展示物に上記他方の面ファスナー部を設け、上記一方の面ファスナー部に容易に係合固定することができると共に、確実に固定した状態で展示することができる。
【００１５】
その結果、タグの付いた各種小物類や、広告用シートそのものを、本考案に係るディスプレイ部材に固定して、例えば、壁面部に固定した状態でディスプレイすることができる。
したがって、平面的に各種小物類を並べてディスプレイした場合には、購買者にとって視認しにくいが、壁面部に固定して垂直方向に沿ってディスプレイすることができるため、購買者にとって見やすい状態で展示することができ、販売効果を促進できる。
【００１６】
請求項２から４記載の考案にあっては、一つの額縁内において、上記アクセサリー用品と、上記アクセサリー用品に関連する上記広告用シートを隣接させて展示することができる。
上記フレーム部材は額縁により構成されており、壁面部等に掛けることができることから、請求項１記載の考案の効果に加えて、展示スペースを取らずに、かつ、購買者の視点に合った場所に設置することができるため、販売促進効果を向上させることができる。
また、額縁は、一般的には、額縁本体と、額縁本体を壁面部等に掛ける金具とにより構成され、構造が単純であることから、持ち運びが容易である。
したがって、例えば、女性営業員であっても、迅速かつ容易にディスプレイすることができる。
【００１７】
さらに、上記被展示物の展示方法について、計画性や戦略性を持たせた装飾を施すことができると共に、購買者の視認性を高めることができるため、販売促進効果を向上させることができる。
【図面の簡単な説明】
【００１８】
【図１】本考案に係るディスプレイ部材構造を構成するフレーム部材と一方の面ファスナー部の一実施の形態を示す平面図である。
【図２】本考案に係る被展示物の一実施の形態を示す斜視図である。
【図３】本考案に係る被展示物を展示した状態におけるディスプレイ部材構造の一実施の形態を示す平面図である。
【考案を実施するための最良の形態】
【００１９】
以下、添付図面に示す実施の形態に基づき、本考案を詳細に説明する。
図１は、本考案に係るディスプレイ部材構造１０を構成するフレーム部材１１と一方の面ファスナー部１２の一実施の形態を示す平面図である。
図１に示すように、ディスプレイ部材構造１０は、横長薄厚状に形成され、額縁として形成されたたフレーム部材１１と、フレーム部材１１の内方全域に設けられた白色の一方の面ファスナー部１２とにより構成されている。
【００２０】
図２及び図３は、本考案に係る被展示物の一実施の形態を示す斜視図である。
図２には、本実施の形態に係る被展示物の一例が図示され、被展示物３３は、アクセサリー用品１３と、アクセサリー用品１３に取付けられたタグ１４とにより構成されている。
【００２１】
アクセサリー用品１３は、金属材により形成されたイヤリング１５であると共に、タグ１４は、紙材により形成され、裏面側１６には、一方の面ファスナー部（図示せず）に係合固定される他方の面ファスナー部１７が設けられている。
【００２２】
図３は、本考案に係る被展示物を展示した状態におけるディスプレイ部材構造１０の一実施の形態を示す平面図である。
図３に示すように、本実施の形態に係るディスプレイ部材構造１０にあっては、フレーム部材１１の内方に設けられた面ファスナー部１２に、被展示物が固定される。
本実施の形態にあっては、被展示物は、タグ１４、１４、１４、１４が付けられたイヤリング１５、１５、１５、１５と、広告用シート材１８、１９と、箱材２０に収納されたアクセサリー用品２９である。
【００２３】
図２に示した場合と同様に、各イヤリング１５に設けられた各タグ１４の各裏面側１６は、面ファスナー部１２に係合固定される面ファスナー部１７が夫々設けられている。
また、各タグ１４の各表面側には、各イヤリング１５の商品名や価格等が記載されている。
【００２４】
広告用シート材１８、１９は、各イヤリング１５の販促効果を向上させるために、表面側に装飾が施されている。
広告用シート材１８の裏面側２３には、面ファスナー部１２に係合固定される面ファスナー部２５、２５が設けられていると共に、広告用シート材１９の裏面側２４には、面ファスナー部２６が設けられている。
【００２５】
箱材２０に収納されたアクセサリー用品２９は、金属材により形成された指輪２７と、ネックレス２８である。
また、箱材２０の裏面側３０には、面ファスナー部１２に係合固定される面ファスナー部３１、３２が夫々設けられている。
【００２６】
本実施の形態にあっては、一方の面ファスナー部１２の表面部の繊維は、ループ状に密集して起毛されていると共に、他方の面ファスナー部１８の表面部の繊維は、鈎状に起毛されている。
したがって、上記鈎状に起毛された繊維が、上記ループ状に起毛された繊維に係合されることで被展示物は固定される。
【００２７】
本実施の形態に限定されず、一方の面ファスナー部１２の表面部に鈎状に起毛された繊維を設けると共に、他方の面ファスナー部１８の表面部にループ状に起毛された繊維を設けることや、一方の面ファスナー部１２及び他方の面ファスナー部１８の表面部共に、ループ状に起毛された繊維と鈎状に起毛された繊維の両方を設ける構成としても良い。
【００２８】
また、本実施の形態にあっては、上記繊維は、ポリエステルまたはナイロンの素材が使用される。
ポリエステルは、強度が大きく、適度な伸びを有しており、長期の実用に耐えることができる等、バランスの良い繊維素材であるため、被展示物の係合及び剥離作業を繰り返し行った場合であっても、上記被展示物及び上記ディスプレイ部材が損傷する事態を防止することができる。
また、ナイロンは、ポリエステルの有する強度や伸びに加え、柔軟性と摩擦強度に優れているため、例えば、上記被展示物の硬度が大きい場合であっても、損傷する事態を確実に防止することができる。
【００２９】
本実施の形態に係るディスプレイ部材構造１０が実施され、各種の被展示物３３が係合固定されたフレーム部材１１が壁面等に掛けて固定された場合には、イヤリング１５、指輪２７、ネックレス２８や、広告用シート材１８、１９を垂直方向に固定してディスプレイすることができるため、平面的にディスプレイした場合よりも、より視覚に訴えやすく、効果的な販促活動ができる。
【００３０】
尚、本考案に係るディスプレイ部材構造１０を構成する被展示物の一実施の形態にあっては、アクセサリー用品１３としてイヤリング１５、指輪２７、ネックレス２８と、広告用シート材１８、１９とに適用した場合を例に説明したが、本実施の形態に限定されず、例えば、鉛筆や消しゴム等の小物類や、ボール等の球状に形成された被展示物にも適用することができる。
【産業上の利用可能性】
【００３１】
従って、本考案に係るディスプレイ部材構造は、小物類や多種多様な形状をした被展示物を効果的に展示できると共に、被展示物として、商品と上記商品に関する広告用シートを隣接させて展示することで販売促進効果を高めることができるため、産業上の利用可能性を有している。
【符号の説明】
【００３２】
１０  ディスプレイ部材構造
１１  フレーム部材
１２  面ファスナー部
１３  アクセサリー用品
１４  タグ
１５  イヤリング
１６  裏面側
１７  面ファスナー部
１８  広告用シート材
１９  広告用シート材
２０  箱材
２３  裏面側
２４  裏面側
２５  面ファスナー部
２６  面ファスナー部
２７  指輪
２８  ネックレス
２９  アクセサリー用品
３０  裏面側
３１  他方の面ファスナー部
３２  他方の面ファスナー部
３３  被展示物
【図１】
0003185834.tif 000003
【図２】
0003185834.tif 000004
【図３】
0003185834.tif 000005